(57)【要約】【課題】消費電力の無駄を抑制しつつ、適切なタイミングでユーザーにエラーを知らせる。【解決手段】電源管理部１２１により、 一定時間内に操作がない場合に通常モードから節電モードに移行し、エラー検出部１２２により、エラーを検出し、パネル部１０５及び／又はスピーカー１０７により、エラーを知らせ、システム制御部１２５により、エラー検出部１２２がエラーを検出した状態において、一定時間内に操作がない場合、電源管理部１２１を節電モードに移行させ、アクセスが生じたとき、電源管理部１２１を通常モードに移行させ、さらにアクセスの内容に応じてパネル部１０５及び／又はスピーカー１０７の報知を制御し、エラーが解消した後、電源管理部１２１を節電モードに移行させる。これにより、節電モードであってもユーザーにエラーを知らせることができ、エラーが解消した後、節電モードに移行できる。【選択図】図２
2020136688.tif 000002
【特許請求の範囲】
【請求項１】
一定時間内に操作がない場合に通常モードから節電モードに移行する電源管理部と、
エラーを検出するエラー検出部と、
エラーを知らせる報知手段と、
前記エラー検出部がエラーを検出した状態において、前記一定時間内に操作がない場合、前記電源管理部を節電モードに移行させ、アクセスが生じたとき、前記電源管理部を通常モードに移行させ、さらに前記アクセスの内容に応じて前記報知手段の報知を制御し、前記エラーが解消した後、前記電源管理部を節電モードに移行させるシステム制御部とを備える
ことを特徴とする画像形成装置。
【請求項２】
パネル部を備え、
前記報知手段は、
第１のレベルの音量でエラーを知らせる報知音を発するスピーカーと、
エラー内容を表示するパネル部とを有し、
前記システム制御部は、前記パネル部を介してのタッチ操作が有ると、前記アクセスとみなし、前記報知音の音量を前記第１のレベルより低い第２のレベルに下げ、前記パネル部に前記エラー検出部が検出したエラー内容を表示させる
ことを特徴とする請求項１に記載の画像形成装置。
【請求項３】
人感センサーを備え、
前記システム制御部は、
前記人感センサーが人物を検知すると、前記アクセスとみなし、前記報知音の音量を前記第１のレベルより高い第３レベルに上げ、前記パネル部に前記エラー検出部が検出したエラー内容を表示させる
ことを特徴とする請求項１又は２に記載の画像形成装置。
【請求項４】
前記システム制御部は、内部ネットワークを介して第１の端末からの接続要求が有ると、前記アクセスとみなし、前記報知音の音量を前記第１のレベルより高い第３レベルに上げ、前記エラー検出部が検出したエラー内容を前記第１の端末に送信することを特徴とする請求項１〜３のいずれかに記載の画像形成装置。
【請求項５】
前記システム制御部は、外部ネットワークを介して第２の端末からの接続要求が有ると、前記アクセスとみなし、前記報知音の報知を停止させ、前記エラー検出部が検出したエラー内容を前記第２の端末に送信することを特徴とする請求項１〜４のいずれかに記載の画像形成装置。
【発明の詳細な説明】
【技術分野】
【０００１】
本発明は、省エネルギー（以下、単に省エネという）に適した画像形成装置に関する。
【背景技術】
【０００２】
たとえば、印刷機能、コピー機能、ＦＡＸ機能、ネットワーク経由でのデータ送受信機能等を搭載したＭＦＰ(Multifunction Peripheral)等の画像形成装置においては、省エネ効果を高めるために、節電モードが搭載されている。ここで、節電モードには、通常モードにおいて、たとえば設定された一定時間内に操作がない場合に移行する低電力モードと、さらに低電力モードでの一定時間内に操作がない場合に移行する低電力モードよりも節電効果の高いスリープモードとが含まれる。なお、ユーザーによる設定によっては、低電力モードを省くことも可能である。
【０００３】
ところで、このような画像形成装置においては、通常モードにおいて用紙ジャム等のエラーが発生した場合、ユーザーにエラーを知らせるために、設定された一定時間内に操作がない場合であっても節電モードに移行しないようになっている。この場合、エラーが解除されずに放置されたままとなると、無駄な電力が消費されてしまい、省エネ効果が低減してしまう。
【０００４】
このような不都合を解消するものとして、特許文献１では、エラー検知部によりエラー状態が検知された場合、タイマー部による計時結果に基づいて、画像処理装置の電力状態を報知可能モードから省エネモードに切り替える画像処理装置を提案している。
【先行技術文献】
【特許文献】
【０００５】
【特許文献１】特開２０１２−１５６９５８号公報
【発明の概要】
【発明が解決しようとする課題】
【０００６】
上述した特許文献１の画像処理装置では、エラー状態が検知された場合、タイマー部による計時結果に基づいて省エネモードに切り替えるので、ユーザーが長時間にわたってエラー状態に気付かない場合であっても、無駄な電力の消費を防止することができる。
【０００７】
ところが、画像処理装置が省エネモードに切り替えられると、パネル部やスピーカー駆動部等への電力供給が停止されてしまい、ユーザーにエラーを知らせることができない。また、特許文献１の画像処理装置では、時計回路に復帰時刻に設定しておき、復帰時刻に達すると、省エネモードから報知可能モードに切り替えるようにしているが、報知可能モードに切り替えてもエラー解除が行われず、放置されたままになると、無駄な電力が消費されてしまうことになる。
【０００８】
このようなことから、消費電力の無駄を抑制しつつ、適切なタイミングでユーザーにエラーを知らせることができる装置の開発が望まれている。
【０００９】
本発明は、このような状況に鑑みてなされたものであり、上記問題点を解消することができる画像形成装置を提供することを目的とする。
【課題を解決するための手段】
【００１０】
本発明の画像形成装置は、一定時間内に操作がない場合に通常モードから節電モードに移行する電源管理部と、エラーを検出するエラー検出部と、エラーを知らせる報知手段と、前記エラー検出部がエラーを検出した状態において、前記一定時間内に操作がない場合、前記電源管理部を節電モードに移行させ、アクセスが生じたとき、前記電源管理部を通常モードに移行させ、さらに前記アクセスの内容に応じて前記報知手段の報知を制御し、前記エラーが解消した後、前記電源管理部を節電モードに移行させるシステム制御部とを備えることを特徴とする。
また、パネル部を備え、前記報知手段は、第１のレベルの音量でエラーを知らせる報知音を発するスピーカーと、エラー内容を表示するパネル部とを有し、前記システム制御部は、前記パネル部を介してのタッチ操作が有ると、前記アクセスとみなし、前記報知音の音量を前記第１のレベルより低い第２のレベルに下げ、前記パネル部に前記エラー検出部が検出したエラー内容を表示させることを特徴とする。
また、人感センサーを備え、前記システム制御部は、前記人感センサーが人物を検知すると、前記アクセスとみなし、前記報知音の音量を前記第１のレベルより高い第３レベルに上げ、前記パネル部に前記エラー検出部が検出したエラー内容を表示させることを特徴とする。
また、前記システム制御部は、内部ネットワークを介して第１の端末からの接続要求が有ると、前記アクセスとみなし、前記報知音の音量を前記第１のレベルより高い第３レベルに上げ、前記エラー検出部が検出したエラー内容を前記第１の端末に送信することを特徴とする。
また、前記システム制御部は、外部ネットワークを介して第２の端末からの接続要求が有ると、前記アクセスとみなし、前記報知音の報知を停止させ、前記エラー検出部が検出したエラー内容を前記第２の端末に送信することを特徴とする。
本発明の画像形成装置では、電源管理部により、 一定時間内に操作がない場合に通常モードから節電モードに移行し、エラー検出部により、エラーを検出し、報知手段により、エラーを知らせ、システム制御部により、エラー検出部がエラーを検出した状態において、一定時間内に操作がない場合、電源管理部を節電モードに移行させ、アクセスが生じたとき、電源管理部を通常モードに移行させ、さらにアクセスの内容に応じて報知手段の報知を制御し、エラーが解消した後、電源管理部を節電モードに移行させる。
これにより、節電モードであってもアクセスが生じた場合、通常モードに移行してユーザーにエラーを知らせることができ、エラーが解消した後、節電モードに移行できる。
【発明の効果】
【００１１】
本発明の画像形成装置によれば、節電モードであってもアクセスが生じた場合、通常モードに移行してユーザーにエラーを知らせることができ、エラーが解消した後、節電モードに移行できるので、消費電力の無駄を抑制しつつ、適切なタイミングでユーザーにエラーを知らせることができる。
【図面の簡単な説明】
【００１２】
【図１】本発明の画像形成装置をＭＦＰに適用した場合の一実施形態を説明するための図である。
【図２】図１のＭＦＰ、及びユーザー端末等の構成の一例について説明するための図である。
【図３】図２のシステム制御部によるエラー発生時でのモード移行処理について説明するためのフローチャートである。
【図４】図２のシステム制御部によるエラー報知処理について説明するためのフローチャートである。
【発明を実施するための形態】
【００１３】
以下、本発明の画像形成装置の一実施形態を、図１〜図４を参照しながら説明する。なお、以下においては、本発明の画像形成装置を、印刷機能、コピー機能、ＦＡＸ機能、ネットワーク経由でのデータ送受信機能等を搭載したＭＦＰ(Multifunction Peripheral)に適用した場合として説明する。
【００１４】
まず、図１に示すように、ＭＦＰ１００は、社内ＬＡＮ(Local Area Network)等の内部ネットワーク３００を介してユーザー端末２００に接続されているとする。また、ＭＦＰ１００は、インターネット等の外部ネットワーク４００を介して図示しないＰＣ(Personal Computer)やスマートフォン等の通信端末に接続されているとする。なお、ＭＦＰ１００、及びユーザー端末２００は、図示のようにそれぞれ１台に限らず、複数台であってもよい。
【００１５】
また、ユーザー端末２００は、内部ネットワーク３００を介し、印刷ジョブを送信することで、ＭＦＰ１００に対し、印刷を指示できる。また、ユーザー端末２００は、詳細については後述するが、ＭＦＰ１００にエラーが生じている場合、内部ネットワーク３００を介し、遠隔操作でエラーの解消を行うことができる。また、図示しないＰＣ(Personal Computer)やスマートフォン等の通信端末は、詳細については後述するが、ＭＦＰ１００にエラーが生じている場合、外部ネットワーク４００を介し、遠隔操作でエラーの解消を行うことができる。なお、ＭＦＰ１００にエラーが生じているかどうかは、ＭＦＰ１００に対する接続時に、ＭＦＰ１００からのエラー内容を示す通知を受け取ることで確認できる。なお、ＭＦＰ１００で発生するエラーには、たとえば用紙ジャム等のエラー、制御プログラムや各種機能のアプリケーションの不具合等のエラーがある。これらのエラーのうち、用紙ジャム等のエラーの場合、詰まりを生じている用紙が取り除くための手作業が必要となる。一方、制御プログラムや各種機能のアプリケーションの不具合等のエラーの場合、遠隔操作による設定値の修正等が可能である。
【００１６】
また、ＭＦＰ１００は、内部ネットワーク３００を介しての接続要求、又は外部ネットワーク４００を介しての接続要求が有った場合、たとえばそれぞれの接続要求に含まれるＩＰアドレス等の情報を確認することで、内部ネットワーク３００を介しての接続要求と、外部ネットワーク４００を介しての接続要求とを区別できる。また、ＭＦＰ１００には、省エネルギー（以下、単に省エネという）効果を高めるために、節電モードが搭載されている。ここで、節電モードには、通常モードにおいて、たとえば予め設定されている一定時間内に操作がない場合に移行する低電力モードと、さらに低電力モードでの一定時間内に操作がない場合に移行する低電力モードよりも節電効果の高いスリープモードとが含まれる。本実施形態では、説明の都合上、低電力モードを省くように設定されているとする。
【００１７】
次に、図２を参照し、ＭＦＰ１００、及びユーザー端末２００等の構成の一例について説明する。ＭＦＰ１００は、スキャナー部１０１、プリンター部１０２、ＦＡＸ(Facsimile)部１０３、Ｉ／Ｆ（インターフェース）１０４、パネル部１０５、ＨＤＤ(Hard Disk Drive)１０６、スピーカー１０７及び人感センサー１０８の動作を制御する制御部１１０を備えている。
【００１８】
スキャナー部１０１は、イメージセンサー（図示省略）によって読み取られる図示しない原稿の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１９】
Ｉ／Ｆ１０４は、内部ネットワーク３００を介し、図示しない他のＭＦＰ１００やユーザー端末２００との通信を受け持つ。また、Ｉ／Ｆ１０４は、外部ネットワーク４００を介し、図示しないＰＣやスマートフォン等の通信端末との通信を受け持つ。なお、Ｉ／Ｆ１０４は、図示しないコンテンツサーバーやウェブサーバー等との通信を受け持ってもよい。パネル部１０５は、ＭＦＰ１００の印刷機能、コピー機能、ＦＡＸ機能、データ送受信機能や、各種設定等のための表示を行うタッチパネル等のデバイスである。また、パネル部１０５は、用紙ジャム等のエラーが発生した場合、エラー内容等を表示する。ＨＤＤ１０６は、ＭＦＰ１００の種々の機能を提供するためのアプリケーションプログラム等を記憶している記憶デバイスである。また、ＨＤＤ１０６は、たとえばユーザー端末２００から受け取った印刷ジョブを記憶するユーザーボックスを有している。
【００２０】
スピーカー１０７は、用紙ジャム等のエラーが発生した場合、エラーを知らせる報知音を発する。なお、報知音は、ユーザーにより、ある一定のレベルとなるように設定されているものとする。人感センサー１０８は、ＭＦＰ１００に近づいたユーザーを検知する。人感センサー１０８によるユーザーの検知範囲は、たとえば半径５ｍであってもよいし、半径５ｍ未満であってもよいし、半径５mを超えていてもよい。いずれにしても、ＭＦＰ１００に近づいたユーザーが報知音に気づく範囲であればよい。なお、ＭＦＰ１００に近づいたユーザーを検知する場合、人感センサー１０８に変えてカメラを用いてもよい。この場合、カメラによって取り込まれた画像に対する画像処理により、ユーザーがＭＦＰ１００に対して近づいたかどうかを判断できる。
【００２１】
制御部１１０は、認証プログラム等のアプリケーションプログラム、画像形成プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ(Random Access Memory)１１５、ＥＥＰＲＯＭ(Electrically Erasable Programmable Read-Only Memory)１１６、タイマー１１７、画像処理部１１８、パネル操作制御部１１９、ＨＤＤ制御部１２０、電源管理部１２１、スピーカー制御部１２３、人感センサー制御部１２４、システム制御部１２５を備えている。また、これらは、データバス１２６に接続されている。
【００２２】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、内部ネットワーク３００、又は外部ネットワーク４００経由でのデータ等の送受信の制御を行う。
【００２３】
ＲＡＭ１１５は、プログラムを実行するためのワークメモリーである。また、ＲＡＭ１１５は、画像処理部１１８によって画像処理された印刷データを記憶する。ＥＥＰＲＯＭ１１６には、各部の動作チェック等を行う制御プログラムが記憶されている。また、ＥＥＰＲＯＭ１１６には、スキャナー部１０１、プリンター部１０２、ＦＡＸ部１０３、Ｉ／Ｆ（インターフェース）１０４、パネル部１０５及びＨＤＤ１０６等を動作させるためのバージョンデータを含むファームウェアが記憶されている。
【００２４】
タイマー１１７は、経過時間を計測する。すなわち、タイマー１１７は、たとえば設定された一定時間内に操作がない場合に通常モードから節電モードに移行する際の経過時間を計測する。また、タイマー１１７は、システム制御部１２５からの指示に従い、経過時間を計測する。画像処理部１１８は、スキャナー部１０１によって読み取られた画像データに対する画像処理（ラスタライズ）を行う。また、画像処理部１１８は、たとえばユーザー端末２００から受け取った印刷ジョブに対する画像処理（ラスタライズ）を行う。また、画像処理部１１８は、ＨＤＤ１０６のユーザーボックスに登録された印刷対象データに対する画像処理（ラスタライズ）を行う。なお、システム制御部１２５は、画像処理部１１８が画像処理した印刷データを、一旦、ＲＡＭ１１５に記憶させる。
【００２５】
ＨＤＤ制御部１２０は、ＨＤＤ１０６に対するデータの書き込みや読み出しを制御する。電源管理部１２１は、通常モードにおいてのパネル部１０５や、プリンター部１０２の図示しない感光ドラム等を有する印刷機構部等への電力供給と、設定された一定時間内に操作がない場合に移行する節電モードでの電力供給とを管理する。なお、節電モードでは、パネル部１０５や、プリンター部１０２の図示しない感光ドラム等を有する印刷機構部等への電力供給が停止される。エラー検出部１２２は、用紙ジャム等のエラーを検出する。また、エラー検出部１２２は、制御プログラムや各種機能のアプリケーションの不具合等のエラーを検出する。スピーカー制御部１２３は、スピーカー１０７の動作を制御する。なお、スピーカー制御部１２３は、スピーカー１０７の動作を制御する際、たとえば予め設定されている一定レベルでエラーを知らせる報知音を発生させる。ただし、スピーカー制御部１２３は、詳細については後述するが、システム制御部１２５からの指示に従い、たとえば予め設定されている一定レベルの報知音量を、さらに一定レベル下げたり、一定レベル上げたりしてスピーカー１０７の動作を制御する。人感センサー制御部１２４は、人感センサー１０８の動作を制御する。
【００２６】
システム制御部１２５は、各部の連携動作等を制御する。また、システム制御部１２５は、詳細については後述するが、電源管理部１２１に対する通常モードと節電モードとの間の移行の制御、スピーカー制御部１２３に対する用紙ジャム等のエラーの発生時でのスピーカー１０７からの報知音量の制御、パネル操作制御部１１９に対する用紙ジャム等のエラーの発生時でのパネル部１０５へのエラー表示の制御等を行う。なお、システム制御部１２５は、たとえばパネル部１０５を介してのタッチ操作、人感センサー１０８によるユーザーの検知、内部ネットワーク３００、又は外部ネットワーク４００を介しての接続要求が有った場合、これらをＭＦＰ１００に対するアクセスと見なすものとする。
【００２７】
ユーザー端末２００は、Ｉ／Ｆ２０１、マウス２０２、キーボード２０３、ＨＤＤ２０４を制御する制御部２１０を備えている。Ｉ／Ｆ２０１は、内部ネットワーク３００を介し、ＭＦＰ１００に接続されている。マウス２０２は、文字の入力位置等を指示する際に操作される。キーボード２０３は、文字等を入力する際に操作される。ＨＤＤ２０４は、印刷ジョブ等を記憶する。
【００２８】
制御部２１０は、制御プログラム等を実行してユーザー端末２００全体の動作を制御するプロセッサーである。制御部２１０は、ＲＡＭ２１１、ＥＥＰＲＯＭ２１２、通信制御部２１３、入力制御部２１４、ＨＤＤ制御部２１５、システム制御部２１６を備えている。また、これらは、データバス２１７に接続されている。
【００２９】
ＲＡＭ２１１は、プログラムを実行するためのワークメモリーである。ＥＥＰＲＯＭ２１２には、各部の動作チェック等を行う制御プログラムが記憶されている。通信制御部２１３は、Ｉ／Ｆ２０１を介し、内部ネットワーク３００、又は外部ネットワーク４００経由等でのデータ等の送受信の制御を行う。入力制御部２１４は、マウス２０２、キーボード２０３の入力操作を制御する。システム制御部２１６は、通信制御部２１３を介し、ＭＦＰ１００に対して印刷ジョブ等を送信する。
【００３０】
次に、図３を参照し、エラー発生時でのモード移行処理について説明する。なお、以下においての節電モードは、説明の都合上、通常モードにおいて、たとえば設定された一定時間内に操作がない場合、スリープモードに移行するものとして説明する。また、以下においてのエラーは、通常モードにおいて発生するものとして説明する。
【００３１】
（ステップＳ１０１）
システム制御部１２５は、エラーが発生したかどうかを判断する。
この場合、システム制御部１２５は、エラー検出部１２２からの用紙ジャム等のエラーが発生したことを示す通知が無ければ、エラーが発生していないと判断する（ステップＳ１０１：Ｎｏ）。
これに対し、システム制御部１２５は、エラー検出部１２２からの用紙ジャム等のエラーが発生したことを示す通知が有れば、エラーが発生したと判断し（ステップＳ１０１：Ｙｅｓ）、ステップＳ１０２に移行する。
【００３２】
（ステップＳ１０２）
システム制御部１２５は、タイマー１１７を駆動させる。
このとき、タイマー１１７は、経過時間の計測を開始する。
【００３３】
（ステップＳ１０３）
システム制御部１２５は、設定された一定時間を経過したかどうかを判断する。
この場合、システム制御部１２５は、タイマー１１７が計測した時間が設定された一定時間に満たない場合、設定された一定時間を経過していないと判断する（ステップＳ１０３：Ｎｏ）。
これに対し、システム制御部１２５は、タイマー１１７が計測した時間が設定された一定時間に達した場合、設定された一定時間を経過したと判断し（ステップＳ１０３：Ｙｅｓ）、ステップＳ１０４に移行する。
【００３４】
（ステップＳ１０４）
システム制御部１２５は、電源管理部１２１に対し、節電モードに移行させる。
このとき、電源管理部１２１は、スリープモードに移行し、パネル部１０５や、プリンター部１０２の図示しない感光ドラム等を有する印刷機構部等への電力供給を停止させる。
【００３５】
（ステップＳ１０５）
システム制御部１２５は、アクセスが有るかどうかを判断する。
この場合、システム制御部１２５は、たとえばパネル操作制御部１１９からのパネル部１０５を介してのタッチ操作を受け付けたことを示す通知、人感センサー制御部１２４からの人感センサー１０８によるユーザーを検知したことを示す通知、通信制御部１１４からの内部ネットワーク３００、又は外部ネットワーク４００を介しての接続要求を受け付けたことを示す通知のいずれも無ければ、アクセスが無いと判断する（ステップＳ１０５：Ｎｏ）。
これに対し、システム制御部１２５は、たとえばパネル操作制御部１１９からのパネル部１０５を介してのタッチ操作を受け付けたことを示す通知、人感センサー制御部１２４からの人感センサー１０８によるユーザーを検知したことを示す通知、通信制御部１１４からの内部ネットワーク３００、又は外部ネットワーク４００を介しての接続要求を受け付けたことを示す通知のいずれかが有れば、アクセスが有ると判断し（ステップＳ１０５：Ｙｅｓ）、ステップＳ１０６に移行する。
なお、システム制御部１２５は、上述したように、たとえばパネル部１０５を介してのタッチ操作、人感センサー１０８によるユーザーの検知、内部ネットワーク３００、又は外部ネットワーク４００を介しての接続要求が有った場合、これらをＭＦＰ１００に対するアクセスと見なす。
【００３６】
（ステップＳ１０６）
システム制御部１２５は、電源管理部１２１に対し、通常モードに移行させる。
このとき、電源管理部１２１は、スリープモードから通常モードに移行し、パネル部１０５や、プリンター部１０２の図示しない感光ドラム等を有する印刷機構部等への電力供給を再開させる。
なお、システム制御部１２５は、電源管理部１２１に対し、スリープモードから通常モードに移行させずに、スリープモードから低電力モードに移行させてもよい。
【００３７】
（ステップＳ１０７）
システム制御部１２５は、エラー報知処理を指示する。
この場合、システム制御部１２５は、スピーカー制御部１２３及び／又はパネル操作制御部１１９に対してエラー報知処理を指示する。
なお、システム制御部１２５によるエラー報知処理の詳細については、後述の図４で説明する。
【００３８】
（ステップＳ１０８）
システム制御部１２５は、エラーが解消したかどうかを判断する。
この場合、システム制御部１２５は、たとえば用紙ジャム等のエラーが発生した場合、詰まりを生じている用紙が取り除かれていなければ、エラーが解消していないと判断する（ステップＳ１０８：Ｎｏ）。また、内部ネットワーク３００、又は外部ネットワーク４００からのアクセスにより、たとえば制御プログラムや各種機能のアプリケーションの不具合が解消されていなければ、エラーが解消していないと判断する（ステップＳ１０８：Ｎｏ）。
これに対し、システム制御部１２５は、たとえば用紙ジャム等のエラーが発生した場合、詰まりを生じている用紙が取り除かれていれば、エラーが解消したと判断する（ステップＳ１０８：Ｙｅｓ）。また、内部ネットワーク３００、又は外部ネットワーク４００からのアクセスにより、たとえば制御プログラムや各種機能のアプリケーションの不具合が解消されていれば、エラーが解消したと判断する（ステップＳ１０８：Ｙｅｓ）。
そして、システム制御部１２５は、エラーが解消したかどうかを判断すると、ステップＳ１０９に移行する。
【００３９】
（ステップＳ１０９）
システム制御部１２５は、エラー報知の停止を指示する。
この場合、システム制御部１２５は、スピーカー制御部１２３及び／又はパネル操作制御部１１９に対してエラー報知の停止を指示する。
【００４０】
（ステップＳ１１０）
システム制御部１２５は、タイマー１１７を駆動させる。
このとき、タイマー１１７は、経過時間の計測を開始する。
【００４１】
（ステップＳ１１１）
システム制御部１２５は、設定された一定時間を経過したかどうかを判断する。
この場合、システム制御部１２５は、タイマー１１７が計測した時間が設定された一定時間に満たない場合、設定された一定時間を経過していないと判断する（ステップＳ１１１：Ｎｏ）。
これに対し、システム制御部１２５は、タイマー１１７が計測した時間が設定された一定時間に達した場合、設定された一定時間を経過したと判断し（ステップＳ１１１：Ｙｅｓ）、ステップＳ１１２に移行する。
なお、エラーが解消した後の一定時間については、予め設定されている一定時間より短くしてもよい。
【００４２】
（ステップＳ１１２）
システム制御部１２５は、電源管理部１２１に対し、節電モードに移行させる。
このとき、電源管理部１２１は、スリープモードに移行し、パネル部１０５や、プリンター部１０２の図示しない感光ドラム等を有する印刷機構部等への電力供給を停止させる。
【００４３】
なお、上述した手順では、システム制御部１２５が、ステップＳ１０２、Ｓ１１０において、タイマー１１７を駆動させて経過時間の計測を開始させ、ステップＳ１０３、Ｓ１１１において、一定時間が経過したかどうかを判断するようにしているが、この例に限らない。たとえば、システム制御部１２５が図示しない内部時計による経過時間を確認し、一定時間が経過したかどうかを判断するようにしてもよい。この場合は、タイマー１１７を省くことができる。
【００４４】
また、エラーが解消した後、ステップＳ１１０においてタイマー１１７を駆動させ、ステップＳ１１１で一定時間経過後、ステップＳ１１２で節電モードに移行させるものとしているが、この例に限らず、エラーが解消した後、ステップＳ１０９でエラー報知を停止してから直ちに節電モードに移行させてもよい。
【００４５】
次に、図４を参照し、上述したステップＳ１０７でのアクセスの内容に応じたエラー報知処理の詳細について説明する。なお、以下においては、エラー報知処理が開始されると同時に、スピーカー制御部１２３がスピーカー１０７から予め設定されている一定レベルの報知音量でエラーを知らせる報知音を発生させるものとして説明する。
【００４６】
（ステップＳ２０１）
システム制御部１２５は、ユーザー操作が有るかどうかを判断する。
この場合、システム制御部１２５は、パネル操作制御部１１９からのパネル部１０５を介してのタッチ操作を受け付けたことを示す通知が無ければユーザー操作が無いと判断し（ステップＳ２０１：Ｎｏ）、ステップＳ２０４に移行する。
これに対し、システム制御部１２５は、パネル操作制御部１１９からのパネル部１０５を介してのタッチ操作を受け付けたことを示す通知が有ればユーザー操作が有ると判断し（ステップＳ２０１：Ｙｅｓ）、ステップＳ２０２に移行する。
【００４７】
（ステップＳ２０２）
システム制御部１２５は、スピーカー制御部１２３に対して予め設定されている一定レベルの報知音量を、一定レベル下げて報知させるように指示する。
このとき、スピーカー制御部１２３は、スピーカー１０７を制御し、予め設定されている一定レベルの報知音量を、さらに一定レベル下げてエラーを知らせる報知音を発生させる。
このように、予め設定されている一定レベルの報知音量を、一定レベル下げることで、ＭＦＰ１００でのエラーの解消作業を開始するユーザーに対して耳障りを生じさせないようにすることができる。併せて、周囲に対する報知音による耳障りを生じさせないようにすることもできる。
【００４８】
（ステップＳ２０３）
システム制御部１２５は、パネル操作制御部１１９に対してエラー表示を指示する。
このとき、パネル操作制御部１１９は、パネル部１０５に対し、たとえば用紙ジャム等のエラーに関する内容を表示させる。
このように、パネル部１０５にエラーの内容を表示させることで、ユーザーに対してエラー内容を知らせることができる。
【００４９】
（ステップＳ２０４）
システム制御部１２５は、人感センサー１０８によるＭＦＰ１００に近づいたユーザーの検知が有るかどうかを判断する。
この場合、システム制御部１２５は、人感センサー制御部１２４からの人感センサー１０８によりＭＦＰ１００に近づいたユーザーが検知されたことを示す通知が無ければ、人感センサー１０８によるＭＦＰ１００に近づいたユーザーの検知が無いと判断し（ステップＳ２０４：Ｎｏ）、ステップＳ２０７に移行する。
これに対し、システム制御部１２５は、人感センサー制御部１２４からの人感センサー１０８によりＭＦＰ１００に近づいたユーザーが検知されたことを示す通知が有れば、人感センサー１０８によるＭＦＰ１００に近づいたユーザーの検知が有ると判断し（ステップＳ２０４：Ｙｅｓ）、ステップＳ２０５に移行する。
【００５０】
（ステップＳ２０５）
システム制御部１２５は、スピーカー制御部１２３に対して予め設定されている一定レベルの報知音量を、一定レベル上げて報知させるように指示する。
このとき、スピーカー制御部１２３は、スピーカー１０７を制御し、予め設定されている一定レベルの報知音量を、さらに一定レベル上げてエラーを知らせる報知音を発生させる。
このように、予め設定されている一定レベルの報知音量を、一定レベル上げることで、ＭＦＰ１００に近づいたユーザーに対してエラーが発生していることを知らせることができる。併せて、ＭＦＰ１００に近づいたユーザーから遠い位置のユーザーに対しても、エラーが発生していることを知らせることができる。
【００５１】
（ステップＳ２０６）
システム制御部１２５は、パネル操作制御部１１９に対してエラー表示を指示する。
このとき、パネル操作制御部１１９は、パネル部１０５に対し、たとえば用紙ジャム等のエラーに関する内容を表示させる。
このように、パネル部１０５にエラーの内容を表示させることで、ユーザーに対してエラー内容を知らせることができる。
【００５２】
（ステップＳ２０７）
システム制御部１２５は、ネットワーク経由での接続要求が有るかどうかを判断する。
この場合、システム制御部１２５は、通信制御部１１４が内部ネットワーク３００、又は外部ネットワーク４００を介しての接続要求を受け取ったことを示す通知が無ければネットワーク経由での接続要求が無いと判断し（ステップＳ２０７：Ｎｏ）、処理を終了する。
これに対し、システム制御部１２５は、通信制御部１１４が内部ネットワーク３００、又は外部ネットワーク４００を介しての接続要求を受け取ったことを示す通知が有ればネットワーク経由での接続要求が有ると判断し（ステップＳ２０７：Ｙｅｓ）、ステップＳ２０８に移行する。
【００５３】
（ステップＳ２０８）
システム制御部１２５は、内部ネットワーク３００からの接続要求かどうかを判断する。
この場合、システム制御部１２５は、通信制御部１１４を介して受け取った接続要求に含まれるＩＰアドレス等の情報を確認し、内部ネットワーク３００からの接続要求で無いと判断すると（ステップＳ２０８：Ｎｏ）、ステップＳ２０９に移行する。
これに対し、システム制御部１２５は、通信制御部１１４を介して受け取った接続要求に含まれるＩＰアドレス等の情報を確認し、内部ネットワーク３００からの接続要求で有ると判断すると（ステップＳ２０８：Ｙｅｓ）、ステップＳ２１１に移行する。
なお、システム制御部１２５が確認するＩＰアドレス等の情報は、内部ネットワーク３００と外部ネットワーク４００とに区別し、たとえばＨＤＤ１０６に登録されているものとする。そして、システム制御部１２５が、接続要求に含まれるＩＰアドレス等と、ＨＤＤ１０６に登録されているＩＰアドレス等とを比較することで、内部ネットワーク３００からの接続要求か、外部ネットワーク４００からの接続要求かを判断できる。
【００５４】
（ステップＳ２０９）
システム制御部１２５は、スピーカー制御部１２３に対して報知音の報知を停止させる。
このとき、スピーカー制御部１２３は、スピーカー１０７からのエラーを知らせる報知音の発生を停止させる。
ここで、外部ネットワーク４００からの接続要求が有った場合、外部ネットワーク４００を介しての図示しないＰＣやスマートフォン等の通信端末による遠隔操作によるエラーの解消作業が開始される。この場合、報知音の報知を停止させることで、周囲に対する報知音による耳障りを生じさせないようにすることができる。
【００５５】
（ステップＳ２１０）
システム制御部１２５は、通信制御部１１４に対して外部ネットワーク４００を介してのエラー内容の送信を指示する。
この場合、システム制御部１２５は、通信制御部１１４に対し、エラー検出部１２２が検出した用紙ジャム等のエラー、制御プログラムや各種機能のアプリケーションの不具合等のエラーを示すエラー内容を、外部ネットワーク４００からアクセスした図示しないＰＣやスマートフォン等の通信端末に送信させるように指示する。
これにより、エラー内容を受け取った図示しないＰＣやスマートフォン等の通信端末側では、たとえば制御プログラムや各種機能のアプリケーションの不具合等のエラーに対し、遠隔操作による設定値の修正等を行うことができる。また、用紙ジャム等のエラーの場合、遠隔地からＭＦＰ１００の管理者等に対してメール又は電話でエラーを知らせることも可能となる。
【００５６】
（ステップＳ２１１）
システム制御部１２５は、スピーカー制御部１２３に対して予め設定されている一定レベルの報知音量を、一定レベル上げて報知させるように指示する。
このとき、スピーカー制御部１２３は、スピーカー１０７を制御し、予め設定されている一定レベルの報知音量を、さらに一定レベル上げてエラーを知らせる報知音を発生させる。
このように、予め設定されている一定レベルの報知音量を、一定レベル上げることで、ＭＦＰ１００の周囲のユーザーに対しても、エラーが発生していることを知らせることができる。
【００５７】
（ステップＳ２１２）
システム制御部１２５は、通信制御部１１４に対して内部ネットワーク３００を介してのエラー内容の送信を指示する。
この場合、システム制御部１２５は、通信制御部１１４に対し、エラー検出部１２２が検出した用紙ジャム等のエラー、制御プログラムや各種機能のアプリケーションの不具合等のエラーを示すエラー内容を、内部ネットワーク３００からユーザー端末２００に送信させるように指示する。
これにより、エラー内容を受け取ったユーザー端末２００側では、たとえば制御プログラムや各種機能のアプリケーションの不具合等のエラーに対し、遠隔操作による設定値の修正等を行うことができる。また、エラー内容が用紙ジャム等のように、手作業が必要となる場合、エラー内容を受け取ったユーザーがＭＦＰ１００に駆けつけ、詰まりを生じている用紙が取り除くことができる。
【００５８】
なお、上述したエラー報知処理においては、ステップＳ２０１でのユーザー操作が有るかの判断処理と、ステップＳ２０４での人感センサー１０８による検知の判断処理と、ステップＳ２０７でのネットワーク経由での接続要求の判断処理とを一連の流れで説明したが、いずれか１つ又は２の判断処理のみが実行されるように設定できるようにしてもよい。
【００５９】
このように、本実施形態では、電源管理部１２１により、 一定時間内に操作がない場合に通常モードから節電モードに移行し、エラー検出部１２２により、エラーを検出し、パネル部１０５及び／又はスピーカー１０７（報知手段）により、エラーを知らせ、システム制御部１２５により、エラー検出部１２２がエラーを検出した状態において、一定時間内に操作がない場合、電源管理部１２１を節電モードに移行させ、アクセスが生じたとき、電源管理部１２１を通常モードに移行させ、さらにアクセスの内容に応じてパネル部１０５及び／又はスピーカー１０７（報知手段）の報知を制御し、エラーが解消した後、電源管理部１２１を節電モードに移行させる。
【００６０】
これにより、節電モードであってもアクセスが生じた場合、通常モードに移行してユーザーにエラーを知らせることができ、エラーが解消した後、節電モードに移行できるので、消費電力の無駄を抑制しつつ、適切なタイミングでユーザーにエラーを知らせることができる。
【符号の説明】
【００６１】
１００  ＭＦＰ
１０１  スキャナー部
１０２  プリンター部
１０３  ＦＡＸ部
１０４、２０１  Ｉ／Ｆ
１０５  パネル部
１０６、２０４  ＨＤＤ
１０７  スピーカー
１０８  人感センサー
１１０、２１０  制御部
１１１  スキャナー制御部
１１２  プリンター制御部
１１３  ＦＡＸ制御部
１１４、２１３  通信制御部
１１５、２１１  ＲＡＭ
１１６、２１２  ＥＥＰＲＯＭ
１１７  タイマー
１１８  画像処理部
１１９  パネル操作制御部
１２０、２１５  ＨＤＤ制御部
１２１  電源管理部
１２２  エラー検出部
１２３  スピーカー制御部
１２４  人感センサー制御部
１２５、２１６  システム制御部
１２６、２１７  データバス
２００  ユーザー端末
２０２  マウス
２０３  キーボード
２１４  入力制御部
３００  内部ネットワーク
４００  外部ネットワーク
【図１】
2020136688.tif 000003
【図２】
2020136688.tif 000004
【図３】
2020136688.tif 000005
【図４】
2020136688.tif 000006